(57)【要約】【課題】ラック背面に入り乱れた電源ケーブルを、ラック脇の空スペースに収容する電子機器収容ラックおよび電源供給方法を提供する。【解決手段】電子機器を搭載可能な電子機器収納用ラックであって、電子機器の電源受給用コネクタと、ラックマウントキット側に設けた電源供給レールとが接触されると、電源供給を可能とする構成である。【選択図】図１
2009217301.tif 000002
【特許請求の範囲】
【請求項１】
電子機器を搭載可能な電子機器収納用ラックであって、
前記電子機器の電源受給用コネクタと、ラックマウントキット側に設けた電源供給レールとが接触されると、電源供給を可能とする構成であることを特徴とする電子機器収納用ラック。
【請求項２】
前記電子機器を前後方向にスライド移動した状態で前記電源供給を可能とする構成であり、
前記電子機器の全面収納時、スライド移動時、および、スライド移動による全面引き出し時において、電源ケーブルをラック脇の空スペースに収納する構成であることを特徴とする請求項１に記載の電子機器収納用ラック。
【請求項３】
ラックマウントキット側に、固定された電源コネクタが設置されていることを特徴とする請求項２に記載の電子機器収納用ラック。
【請求項４】
収納される前記電子機器は、電源モジュールに接続される電源内ケーブルを有することを特徴とする請求項３に記載の電子機器収納用ラック。
【請求項５】
電子機器を搭載可能な電子機器収納用ラックにおける電源供給方式であって、
前記電子機器に設けた電源受給用コネクタと、ラックマウントキット側に設けた電源供給レールと接触されると、電源供給を可能とすることを特徴とする電源供給方式。
【請求項６】
前記電子機器を前後方向にスライド移動した状態で前記電源供給を可能とする構成であり、
前記電子機器の全面収納時、スライド移動時、および、スライド移動による全面引き出し時において、電源ケーブルをラック脇の空スペースに収納する構成であることを特徴とする請求項５に記載の電源供給方式。
【請求項７】
ラックマウントキット側に、固定された電源コネクタが設置されていることを特徴とする請求項６に記載の電源供給方式。
【請求項８】
収納される前記電子機器は、電源モジュールに接続される電源内ケーブルを有することを特徴とする請求項７に記載の電源供給方式。
【発明の詳細な説明】
【技術分野】
【０００１】
本発明は、電子機器を収納可能とする電子機器収容ラックおよび電源供給方式に関する。
【背景技術】
【０００２】
コンピュータ装置を搭載するラックにおいて、コンピュータ装置を大量にラック搭載した場合、装置に電源を供給する為の電源ケーブルがラック背面に入り乱れ、保守作業が非常に煩雑になるという問題がある。
【０００３】
従来のラックに搭載されたコンピュータ装置の電源供給方式について第４図を参照して説明する。
【０００４】
図４において、コンピュータ装置１１は、ラック１４に搭載されており、コンピュータ装置１１の背面に設けられた電源受給部コネクタ１７を介して、電源供給を受ける。
【０００５】
電源受給部コネクタ１７は、電源ケーブル１８を介して、コンセント１９よりで電源供給をうける。
【０００６】
しかしながら、従来の 電源供給方式においては、次のような課題がある。
【０００７】
電源ケーブルが、ラック背面に集中する為、電源ケーブルが入り乱れ、保守作業が非常に煩雑になるといる問題がある。
【０００８】
また、上述した背景に関連する技術を次に開示する。
【０００９】
特許文献１に記載の電気光学装置は、ＴＦＴアレイ基板上に、走査線およびデータ線と、これらに接続されたＴＦＴと、これに接続された画素電極と、複数のＴＦＴの上側に格子状に配置されており画素の非開口領域を規定する上側遮光膜と、複数のＴＦＴの下側に格子状に配置された下側遮光膜とを備え、画像表示領域において平面的に見て、下側遮光膜の形成領域は上側遮光膜の形成領域内に位置し且つＴＦＴのチャネル領域は下側遮光膜の交差領域内に位置することが記載されている。
【００１０】
上記によれば、液晶装置等の電気光学装置において、耐光性を高め、高品位の画像を表示することが可能となる。
【００１１】
特許文献２は、一体式ドッキンク゛トレイ組立体は、携帯型コンピュータをドッキンク゛するドッキンク゛部と一体にされたトレイから構成され、トレイは、天板、テーフ゛ル面、キャビネット、棚などのような作業面の下に取付けられ、板に下で略引込まれた閉位置と板から少なくとも部分的に引出された開位置との間で可動であり、携帯型コンピュータがトレイ内に受容され、ドッキンク゛部にドッキンク゛される場合、トレイが開位置にある場合コンピュータのキーボードおよびディスフ゜レイ部は使用するためにアクセスされ、トレイが閉位置にある場合キーボードおよびディスフ゜レイ部は天板の下のトレイに収納されることが記載されている。
【００１２】
上記によれば、作業面の空間を占領せず、コンピュータのキーボードとモニタが一直線となるようにされ、身体的な不快感及び疲れを減少させることが可能となる。
【特許文献１】特開２０００−１２２８８９号公報
【特許文献２】特開２００１−２３６１４３号公報
【発明の開示】
【発明が解決しようとする課題】
【００１３】
しかしながら、特許文献１および特許文献２は、コンピュータ装置を搭載するラックにおいて、電源を供給することに関して示唆されているが、ラックマウントキット側に設けた電源供給レールが接触することにより、電源供給を行うことに関して何ら示唆されていない。また、ラック背面に入り乱れた電源ケーブルを、ラック脇の空スペースに収容することに関して示唆されていない。
【００１４】
そこで、本発明の目的は、ラックマウントキット側に設けた電源供給レールが接触することにより、電源供給を行う電子機器収容ラックおよび電源供給方式の提供を目的とする。
【課題を解決するための手段】
【００１５】
上記の目的を達成するため、本発明にかかる第１の電子機器収納用ラックは、電子機器を搭載可能な電子機器収納用ラックであって、前記電子機器の電源受給用コネクタと、ラックマウントキット側に設けた電源供給レールとが接触されると、電源供給を可能とする構成であることを特徴とする。
【００１６】
上記の目的を達成するため、本発明にかかる第１の電源供給方式は、電子機器を搭載可能な電子機器収納用ラックにおける電源供給方式であって、前記電子機器に設けた電源受給用コネクタと、ラックマウントキット側に設けた電源供給レールと接触されると、電源供給を可能とすることを特徴とする。
【発明の効果】
【００１７】
本発明によれば、ラックマウントキット側に設けた電源供給レールが接触することにより、電源供給を行うことが可能な電子機器収容ラックおよび電源供給方式を提供できる。
【発明を実施するための最良の形態】
【００１８】
本発明を以下に記載する実施の形態を用いて説明していく。
以下に記載する実施の形態は、本発明を好適にもしくは最適に実施する形態であり、これに限定されることはなく、当業者が容易に想到できる範囲内において、変形、修正実施可能とする。
【００１９】
本実施形態では、ラックマウントキット側に設けた電源供給レールが接触することにより、電源供給を行うことが可能な電子機器収容ラックおよび電源供給方式を提供できる。
【００２０】
本実施形態では、一般的なラック搭載用コンピュータ装置が有する前後面スライド機能を維持しつつ、ラック脇の空きスペースに収容可能とする。
【００２１】
本実施形態では、コンピュータ装置を搭載するラックにおいて、ラック背面に集中することにより入り乱れがちな電源ケーブルを、一般的なラック搭載用コンピュータ装置が有する前後面スライド機能を維持しつつ、ラック脇の空きスペースに収容する。
【００２２】
（第１の実施形態）
まず、最初に、図１を用いて本実施形態にかかる電子機器収容ラックの構成、動作について説明する。
【００２３】
図１において、本実施形態にかかる電子機器収容ラック１４は、コンピュータ装置１を搭載可能な構成であり、ラックマウントキットサイドレール（左側）２、ラックマウントキットサイドレール（右側）３、および、コンセント１９を有する。
【００２４】
電子機器としてのコンピュータ装置１は、図１に示す構成のように、前後方向にスライド移動を行う構成を有し、電子機器収容ラック１４の収納を行う。
【００２５】
電子機器収容ラック１４は、ラックマウントキットサイドレール（左側）２、および、ラックマウントキットサイドレール（右側）３を有する。
【００２６】
電源ケーブルは、ラック脇の空きスペースに収納される。コンセント１９から供給された電源により、電源供給を行う。
【００２７】
図１に示すように、電子機器収納用ラック１４の電源コネクタは、ラックマウントキットサイドレール（右側）３の固定位置に設置し、上記構成を有することで、コンピュータ装置１の全面引き出し時にも固定位置のままとなる構成を有する。
【００２８】
このように、本実施形態にかかる電子機器収納用ラック１４は、コンピュータ装置は、前後方向にスライド移動することで、収納可能とし、コンピュータ装置に設けた電源受給用コネクタと、ラックマウントキット側に設けた電源供給レールとが接触されると、電源供給を可能とする構成である。
【００２９】
また、コンピュータ装置は、前後方向にスライド移動することで、収納可能とし、コンピュータ装置に設けた電源受給用コネクタと、ラックマウントキット側に設けた電源供給レールとが接触されると、電源供給を可能とする構成であり、コンピュータ装置を前後方向にスライド移動した状態でも電源供給可能とする構成であり、スライド移動時およびスライド移動による全面引き出し時においても電源ケーブルをラック脇の空スペースに収納可能とする構成である。
【００３０】
上記構成を有することで、コンピュータ装置を前後方向にスライド移動した状態、スライド移動時およびスライド移動による全面引き出し時（保守時）においても電源ケーブルをラック脇の空スペースに収納可能とし、保守作業を容易にすることを可能とする。
【００３１】
（第２の実施形態）
次に、図２を用いて本実施形態にかかる電子機器収容ラックに収納されるコンピュータ装置の構成、および、コンピュータ装置の周辺の構成、それを用いた動作について説明する。
それ以外の構成は、第１の実施形態と同様である。
【００３２】
図２において、コンピュータ装置１は、電源供給コネクタ１７と、電源受給用コネクタ４とを有する。
【００３３】
電子機器収容ラック１４は、コンピュータ装置１を収納する。左側の位置には、ラックマウントキットサイドレール（左側）２を有する。電子機器収容ラック１４は、前後方向にスライド移動することで、コンピュータ装置１を収納する。
【００３４】
電子機器収容ラック１４は、コンピュータ装置１を収納する。右側の位置には、ラックマウントキットサイドレール（右側）３を有する。電子機器収容ラック１４は、前後方向にスライド移動することで、コンピュータ装置１を収納する。
【００３５】
ラックマウントキットサイドレール（右側）３は、ラックマウントキット電源供給用レール５、および、電源受給用レール９を有する。
【００３６】
電源ケーブル６は、コンセント１９へと接続される。コンセント１９は、コンピュータ装置１の電源ケーブル６を介し、ラックマウントキット電源供給用レール５およびコンピュータ装置１の電源供給用コネクタ４を通じて（電源受給用コネクタ４に設けられた電源受給用の突起に接触することで）、コンピュータ装置１に電源を供給する。
【００３７】
電子機器収納用ラック１４は、コンピュータ装置の前後方向のスライド移動時においても、電源ケーブル６がコンセント１９へと接続され、コンセント１９がコンピュータ装置１の電源ケーブル６を介し、ラックマウントキット電源供給用レール５およびコンピュータ装置１の電源供給用コネクタ４を通じて（電源受給用コネクタ４に設けられた電源受給用の突起に接触することで）、コンピュータ装置１に電源を供給する構成である。
【００３８】
このように、電子機器収納用ラック１４は、コンピュータ装置の前後方向のスライド移動時においても、電源ケーブル６がコンセント１９へと接続され、コンセント１９がコンピュータ装置１の電源ケーブル６を介し、ラックマウントキット電源供給用レール５およびコンピュータ装置１の電源供給用コネクタ４を通じて（電源受給用コネクタ４に設けられた電源受給用の突起に接触することで）、コンピュータ装置１に電源を供給する構成であり、かつ、電子機器収納用ラック１４の脇に空スペースを有する構成を有して、そこに電源ケーブルを収納する構成を有することで、コンピュータ装置が前後方向にスライド移動する際にも、また、コンピュータ装置が全面引き出し時においても、コンピュータ装置に電源供給可能な構成を有する。
【００３９】
（第３の実施形態）
次に、図３を用いて本実施形態にかかるコンピュータ装置の構成、それを用いた動作について説明する。
それ以外の構成は、第１の実施形態および第２の実施形態と同様である。
【００４０】
図３において、コンピュータ装置１は、電源モジュール８、装置内電源ケーブル７、電源受給用コネクタ４を有する。
【００４１】
コンピュータ装置１の装置内電源ケーブル７は、電源モジュール８と、コンピュータ装置１の外側の電源受給用コネクタ４を接続するための電源ケーブルである。
【００４２】
このコンピュータ装置１の装置内電源ケーブル７を有することで、電源モジュール８は、従来装置用のものをそのまま流用可能とし、新たに開発することを防止する。
【００４３】
電源ケーブル６がコンセント１９へと接続され、コンセント１９がコンピュータ装置１の電源ケーブル６を介し、ラックマウントキット電源供給用レール５およびコンピュータ装置１の電源供給用コネクタ４を通じて、コンピュータ装置１に電源を供給し、電源供給をうけた電源受給用コネクタ４は、装置内電源ケーブル７を介して、電源モジュール８へ電源供給を行う。
【００４４】
上記構成によれば、コンピュータ装置１が前後方向にスライド移動し、電子機器収納用ラック１４から前面に引き出した際にも、収納電源ケーブル６がコンセント１９へと接続され、コンセント１９がコンピュータ装置１の電源ケーブル６を介し、ラックマウントキット電源供給用レール５およびコンピュータ装置１の電源供給用コネクタ４を通じて（電源受給用コネクタ４の突起に接触することで）、コンピュータ装置１に電源を供給し、電源供給をうけた電源受給用コネクタ４が、装置内電源ケーブル７を介して、電源モジュール８へ電源供給を行うことができる。
【００４５】
また、電子機器収納用ラック１４の脇にある空スペースに電源ケーブルを有する構成であることで、かつ、ラック背面に電源ケーブルが入り乱れることなく、保守運用上の煩雑さを防止できる。
【００４６】
以上説明したように、本発明は、少なくとも以下に記載するような効果を奏する。
【００４７】
第１の効果は、電源ケーブルをラック脇の空きスペースに収容することで、ラック背面が電源ケーブル入り乱れることを防止することができる。
【００４８】
第２の効果は、電源モジュールは、従来装置用のものをそのまま流用可能な構成とすることで、新に開発すること抑制することができる。
【図面の簡単な説明】
【００４９】
【図１】本実施形態における電子機器収納用ラックの構成を示す図である。
【図２】本実施形態におけるコンピュータ装置と、その周辺の構成を示す図である。
【図３】本実施形態におけるコンピュータ装置の構成を示す図である。
【図４】従来の電子機器収納用ラックを説明するため図である。
【符号の説明】
【００５０】
１    コンピュータ装置
２    ラックマウントキットサイドレール（左側）
３    ラックマウントキットサイドレール（右側）
４    電源受給用コネクタ４
５    ラックマウントキット電源供給用レール
６    電源ケーブル
７    装置内電源ケーブル
８    電源モジュール
９    電源受給用レール
１４    電子機器収容ラック
１７    電源受給部コネクタ
１８    電源ケーブル
１９    コンセント
【図１】
2009217301.tif 000003
【図２】
2009217301.tif 000004
【図３】
2009217301.tif 000005
【図４】
2009217301.tif 000006